(57)【要約】【課題】洗面台側と洗濯機側の両方から物を出し入れできて使い勝手が良い間仕切り収納構造を提供する。【解決手段】間仕切り収納構造１は、洗濯機配置室２側と洗面台配置室３側の両方から物を出し入れできる通し空間である両側収納棚部１１を上下方向に複数備えている。上記両側収納棚部１１は、上記間仕切り収納構造１の奥側に配置されている。そして、上記間仕切り収納構造１の前側には、上記洗濯機配置室２側に開口して当該洗濯機配置室２側から物を出し入れできる片側収納棚部１５が上下に複数段設けられている。この片側収納棚部１５には背板１５ａが配置されており、当該片側収納棚部１５に収納された洗剤容器等が上記洗面台配置室３側から見えないようにしている。【選択図】図４
2014150996.tif 000002
【特許請求の範囲】
【請求項１】
室内空間を洗面台配置室と洗濯機配置室とに仕切る間仕切り収納構造であって、洗面台の天板よりも上側となる位置に、上記洗面台配置室側と上記洗濯機配置室側の両方から物を出し入れできる通し空間である両側収納棚部を備えたことを特徴とする間仕切り収納構造。
【請求項２】
請求項１に記載の間仕切り収納構造において、上記洗面台の天板よりも上側に位置し、上記洗面台配置室側と上記洗濯機配置室側の両方からゴミを投入できる蓋付き開口と、上記蓋付き開口から投入されたゴミを受けるとともに手前側に引き出されるゴミ用引き出し部と、を備えたことを特徴とする間仕切り収納構造。
【請求項３】
請求項２に記載の間仕切り収納構造において、上記ゴミ用引き出し部が上記洗面台の天板よりも上側に位置していることを特徴とする間仕切り収納構造。
【請求項４】
請求項２または請求項３に記載の間仕切り収納構造において、上記ゴミ用引き出し部の下側に、手前側に引き出される引き出し部が設けられていることを特徴とする間仕切り収納構造。
【請求項５】
請求項１〜請求項４のいずれか１項に記載の間仕切り収納構造において、上記両側収納棚部が奥側に設けられており、前側には、上記洗濯機配置室側に開口して当該洗濯機配置室側から物を出し入れできる片側収納棚部が設けられていることを特徴とする間仕切り収納構造。
【請求項６】
請求項１〜請求項５のいずれか１項に記載の間仕切り収納構造において、当該間仕切り収納構造に近い側の上記洗面台の箇所には上記天板の水平面部が位置しており、遠い側には洗面ボウル部が位置しており、上記水平面部の下方は椅子が収容できる空間となっていることを特徴とする間仕切り収納構造。
【発明の詳細な説明】
【技術分野】
【０００１】
この発明は、室内空間を洗面台配置室と洗濯機配置室とに仕切る間仕切り収納構造に関する。
【背景技術】
【０００２】
特許文献１には、洗面台側から洗濯機側への水はね、および洗濯機側から洗面台側への水はねを防止できるとともに、洗面台または洗濯機を使用する際に付随して使用する物を収納するスペースを確保するようにした間仕切り収納体が開示されている。
【先行技術文献】
【特許文献】
【０００３】
【特許文献１】特開平７−１８４７２７号公報
【発明の概要】
【発明が解決しようとする課題】
【０００４】
しかしながら、上記間仕切り収納体は、洗面台方向へ開口する洗面台側収納部と洗濯機側へ開口する洗濯機側収納部とが高さ方向において異なる部位に設けられているにすぎず、上記洗面台側と上記洗濯機側の両方から物を出し入れすることができないものであり、使い勝手が十分に良いとはいえなかった。
【０００５】
この発明は、上記の事情に鑑み、洗面台側と洗濯機側の両方から物を出し入れできて使い勝手が良い間仕切り収納構造を提供することを課題とする。
【課題を解決するための手段】
【０００６】
この発明の間仕切り収納構造は、上記の課題を解決するために、室内空間を洗面台配置室と洗濯機配置室とに仕切る間仕切り収納構造であって、洗面台の天板よりも上側となる位置に、上記洗面台配置室側と上記洗濯機配置室側の両方から物を出し入れできる通し空間である両側収納棚部を備えたことを特徴とする。
【０００７】
上記の構成であれば、上記通し空間である両側収納棚部を備えたので、上記洗面台配置室側と上記洗濯機配置室側の両方から物を出し入れできて使い勝手が良い。また、例えば、上記洗濯機配置室に設けられた窓から差し込む日の光が上記通し空間である両側収納棚部を通って上記洗面台配置室側に入り込み、この洗面台配置室を明るくすることができる。
【０００８】
上記洗面台の天板よりも上側に位置し、上記洗面台配置室側と上記洗濯機配置室側の両方からゴミを投入できる蓋付き開口と、上記蓋付き開口から投入されたゴミを受けるとともに手前側に引き出されるゴミ用引き出し部と、を備えていてもよい。これによれば、上記洗面台配置室側と上記洗濯機配置室側の両方からゴミを捨てることができ、ゴミを捨てる際に回り込む必要がなくなる。また、床上にゴミ箱を置く必要がないので、床上をすっきりとさせることができる。
【０００９】
上記ゴミ用引き出し部が上記洗面台の天板よりも上側に位置していてもよい。これによれば、上記ゴミ用引き出し部の高さによって上記蓋付き開口が上記天板よりも上に位置するので、上記天板上に置かれている化粧品等が誤って上記蓋付き開口に落ちてしまうのを防止できる。
【００１０】
上記ゴミ用引き出し部の下側に、手前側に引き出される引き出し部が設けられていてもよい。これによれば、上記洗面台配置室側と上記洗濯機配置室側の両方から上記引き出し部を操作することができる。
【００１１】
上記両側収納棚部が奥側に設けられており、前側には、上記洗濯機配置室側に開口して当該洗濯機配置室側から物を出し入れできる片側収納棚部が設けられていてもよい。これによれば、重い洗濯用洗剤などは前側の上記片側収納棚部を利用して出し入れできるので、作業負担を軽減することができる。
【００１２】
当該間仕切り収納構造に近い側の上記洗面台の箇所には上記天板の水平面部が位置しており、遠い側には洗面ボウル部が位置しており、上記水平面部の下方は椅子が収容できる空間となっていてもよい。これによれば、上記椅子と空間を利用して腰掛けた状態で化粧等をすることができる。また、このように腰掛けた状態で上記引き出し部を操作することができる。
【発明の効果】
【００１３】
本発明の間仕切り収納構造であれば、洗面台側と洗濯機側の両方から物を出し入れできて使い勝手が良い等の諸効果を奏する。
【図面の簡単な説明】
【００１４】
【図１】同図（Ａ）は本発明の実施形態の間仕切り収納構造を示した正面視の説明図であり、同図（Ｂ）は上記間仕切り収納構造の平面視の説明図である。
【図２】同図（Ａ）は図１の間仕切り収納構造の右側面視の説明図であり、同図（Ｂ）は図１の間仕切り収納構造の左側面視の説明図である。
【図３】図１の間仕切り収納構造を示した概略の斜視図である。
【図４】図１の間仕切り収納構造を示した概略の斜視図である。
【発明を実施するための形態】
【００１５】
以下、この発明の実施の形態を添付図面に基づいて説明する。
図１（Ａ）、（Ｂ）および図２（Ａ）、（Ｂ）に示すように、この実施形態では、間仕切り収納構造１によって、洗面室１００は、一方の側が洗濯機配置室２となり、他方の側が洗面台配置室３となるように仕切られている。
【００１６】
上記洗濯機配置室２には、洗濯機２１が配置されている。また、上記洗濯機配置室２は外壁に近い側に位置し、窓が設けられている。
【００１７】
上記洗面台配置室３には、洗面台３１および鏡３２が配置されている。また、洗面台３１の天板下の右位置には開き扉３１ａが設けられており、この開き扉３１ａを開くと洗面ボウル３１ｂの下部や配管３１ｃなどを見ることができる。また、洗面台３１の天板の左側の水平面部下には足元空間３１ｄが形成されている。すなわち、上記間仕切り収納構造１に近い側の上記洗面台３１の箇所には天板の水平面部が位置しており、遠い側には上記洗面ボウル部３１ｂが位置しており、上記水平面部の下方は図示しない椅子が収容できる足元空間３１ｄとなっている。この実施形態では、上記足元空間３１ｄの横幅は、一般の体格の女性が足を入れて座れるように、４３３ｍｍ以上４５０ｍｍ以下の範囲に設定されている。
【００１８】
上記間仕切り収納構造１は、その高さが例えば１９４０ｍｍ程度に設定されており、天井との間に空間を形成している。また、上記間仕切り収納構造１は、図３および図４にも示すように、上記洗濯機配置室２側と上記洗面台配置室３側の両方から物を出し入れできる通し空間である両側収納棚部１１を上下方向に複数段備えている。これら両側収納棚部１１は、上記洗面台３１の天板よりも上側に位置しているが、この実施形態では、最も下の両側収納棚部１１の底面は後述する蓋付き開口１２の下縁の高さ位置に略一致するようにしている。また、上記両側収納棚部１１は、上記洗濯機配置室２側の開口と上記洗面台配置室３側の開口の各々の下側位置に、落下防止用の棒部材１１ａを備えている。
【００１９】
上記両側収納棚部１１は、上記間仕切り収納構造１の奥側に配置されている。そして、上記間仕切り収納構造１の前側には、上記洗濯機配置室２側に開口して当該洗濯機配置室２側から物を出し入れできる片側収納棚部１５が上下に複数段設けられている。この片側収納棚部１５には背板１５ａが配置されており、当該片側収納棚部１５に収納された洗剤容器等が上記洗面台配置室３側から見えないようにしている。
【００２０】
また、上記間仕切り収納構造１には、上記洗面台３１よりも上側に位置して上記洗面台配置室３側と上記洗濯機配置室２側の両方からゴミを投入できるように２箇所に設けられた蓋付き開口１２と、上記蓋付き開口１２から投入されたゴミを受けるとともに手前側に引き出されるゴミ用引き出し部１３と、が備えられている。なお、ゴミとしては、洗濯糸屑、ティッシュ、詰め替えパックなどを想定している。
【００２１】
上記２箇所に在る蓋付き開口１２は同じ高さに配置されている。そして、上記洗濯機配置室２側に位置する上記蓋付き開口１２は、上記片側収納棚部１５の下側に配置されている。上記蓋付き開口１２は四角形状をなしており、上側辺にヒンジ１２ａを備えて蓋が揺動するようになっている。上記蓋付き開口１２の蓋の下側の辺のあたりを各室の側から押さえると、上記蓋付き開口１２の蓋はそれぞれ内側に回動してゴミ収容空間を露呈させることができる。
【００２２】
この実施形態では、上記ゴミ用引き出し部１３のほぼ全部が上記洗面台３１の天板よりも上側に位置している。また、上記ゴミ用引き出し部１３は、その奥行き方向の長さが上記間仕切り収納構造１の奥行き長さ（例えば６２０ｍｍ程度）の半分強程度にしてあり、上記蓋付き開口１２の水平方向長さよりも長くなっている。上記ゴミ用引き出し部１３を手前の側に上記奥行き長さの半分弱引き出すことで、当該ゴミ用引き出し部１３におけるゴミ収容空間を露呈させることができる。上記ゴミ収容空間には例えばゴミ袋をセットすることができ、また、上記ゴミ袋の口を開けておくための一対の回動ワイヤーを設けておくことができる。また、上記ゴミ用引き出し部１３を外すには、手前まで目一杯引き出した後に少し上げるなどの操作が必要となるように、脱落防止機構を設けてもよい。
【００２３】
上記ゴミ用引き出し部１３の下側には、手前側に引き出される引き出し部１４が上下方向に複数段設けられている。この引き出し部１４には、化粧品やタオルなどを入れておくことができる。
【００２４】
上記ゴミ用引き出し部１３の把手となる前面板部と、上記引き出し部１４の把手となる前面板部と、上記ゴミ用引き出し部１３よりも上側となる上記間仕切り収納構造１の上部側の前面板部は、同じ厚みを有しており、また面一となるように配置されている。このように、凸状の把手を配置しないことにより、上記間仕切り収納構造１に壁らしさをださせることができる。また、上記間仕切り収納構造１の全体の色調を白色にすることによっても、上記間仕切り収納構造１に壁らしさをだすことができる。
【００２５】
以上述べたように、上記間仕切り収納構造１は、上記両側収納棚部１１を備えたので、上記洗面台配置室３側と上記洗濯機配置室２側の両方から物を出し入れできて使い勝手が良くなる。また、例えば、上記洗濯機配置室２に設けられている窓から差し込む日の光が上記通し空間である両側収納棚部１１から上記洗面台配置室３側に入り込み、この洗面台配置室３を明るくすることができる。
【００２６】
上記洗面台配置室３側と上記洗濯機配置室２側の両方からゴミを投入できる蓋付き開口１２と、上記蓋付き開口１２から投入されたゴミを受けるとともに手前側に引き出されるゴミ用引き出し部１３とを備えていると、上記ゴミを捨てる際に回り込む必要がなく、上記洗面台配置室３側と上記洗濯機配置室２側の両方からゴミを捨てることができる。また、床上にゴミ箱を置く必要がないので、床上をすっきりとさせることができる。
【００２７】
上記ゴミ用引き出し部１３が上記洗面台３１の天板よりも上側に位置していると、上記ゴミ用引き出し部１３の高さ以上に、上記蓋付き開口１２が上記天板よりも上に位置するので、上記天板上に置かれている化粧品等が誤って上記蓋付き開口１２に落ちてしまうのを防止することができる。
【００２８】
上記ゴミ用引き出し部１３の下側に、手前側に引き出される引き出し部１４が設けられていると、上記洗面台配置室３側と上記洗濯機配置室２側の両方から上記引き出し部１４を操作することができる。
【００２９】
上記両側収納棚部１１が奥側に設けられており、前側に上記洗濯機配置室２側に開口して当該洗濯機配置室２側から物を出し入れできる片側収納棚部１５が設けられていると、重い洗濯用洗剤などは上記片側収納棚部１５を利用して出し入れできるので、作業負担を軽減することができる。
【００３０】
当該間仕切り収納構造１に近い側の上記洗面台３１の箇所には天板の水平面部が位置しており、遠い側には洗面ボウル部３１ｂが位置しており、上記水平面部の下方は椅子が収容できる足元空間３１ｄとなっていると、上記椅子と足元空間３１ｄを利用して腰掛けた状態で化粧等をすることができる。また、このように腰掛けた状態で上記引き出し部１４を操作することができる。
【００３１】
なお、上記鏡３２は１枚鏡としたが、これに限らず、上記足元空間３１ｄの上に位置する鏡部位を別鏡とし、この別鏡の裏を収納部とすることもできる。また、上記開き扉３１ａの下方に空間を設け、この空間を利用して体重計などを収納しておくようにすることもできる。
【００３２】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３３】
１      間仕切り収納構造
１１    両側収納棚部
１２    蓋付き開口
１３    ゴミ用引き出し部
１４    引き出し部
１５    片側収納棚部
２      洗濯機配置室
２１    洗濯機
３      洗面台配置室
３１    洗面台
３１ａ  開き扉
３１ｂ  洗面ボウル
３１ｄ  空間
１００  洗面室
【図１】
2014150996.tif 000003
【図２】
2014150996.tif 000004
【図３】
2014150996.tif 000005
【図４】
2014150996.tif 000006